(57)【要約】　　　（修正有）【課題】前面パネルに備える孔を開閉する電子機器において、ドア部と前面パネルの孔との左右の隙間を同一とすることができる電子機器を提供する。【解決手段】電子回路と、筐体２と、貫通する孔を備える前面パネル３と、孔の側壁に係合する凸部と水平方向に配置されたシャフト５０３を備え前面パネルの裏面に固定される第１のフランジ５と、第１のフランジと左右対称な形状であり第１のフランジの凸部５０４が係合する孔の側壁と対向する側壁に凸部を係合し前面パネルの裏面に固定される第２のフランジと、両端にシャフトを軸支するヒンジ４０１を備えシャフトを軸に開閉するドア部４と、第１のフランジのシャフトに挿入されヒンジを孔３０１の中心方向へ押圧する第１の押圧手段と、第１の押圧手段と同一形状及び素材から成り第２のフランジのシャフトに挿入されヒンジを孔の中心方向へ押圧する第２の押圧手段を備える。【選択図】　　　図１
2004119916.tif 000002
【特許請求の範囲】
【請求項１】
電子回路と、箱形を成し前記電子回路を内部に固定する筐体と、前記筐体の前面に固定され前後に貫通する孔を備える前面パネルと、前記孔の側壁に係合する凸部と水平方向に配置されたシャフトを備え前記前面パネルの裏面に固定される第１のフランジと、前記第１のフランジと左右対称な形状であり水平方向に配置されたシャフトを備え前記第１のフランジの凸部が係合する前記孔の側壁と対向する側壁に凸部を係合し前記前面パネルの裏面に固定される第２のフランジと、両端に前記シャフトを軸支するヒンジを備え前記シャフトを軸に回動することにより前記孔を開閉するドア部と、前記第１のフランジのシャフトに挿入され前記ヒンジを前記孔の中心方向へ押圧する第１の押圧手段と、前記第１の押圧手段と同一形状及び同じ素材から成り前記第２のフランジのシャフトに挿入され前記ヒンジを前記孔の中心方向へ押圧する第２の押圧手段を備えることを特徴とする電子機器。
【発明の詳細な説明】
【０００１】
【発明の属する技術分野】
本発明は、オーディオ信号を増幅するオーディオ信号増幅装置や光ディスクを再生する再生装置等の電子機器に関する。
【０００２】
【従来の技術】
従来の電子機器として、オーディオ信号増幅装置を例に挙げ説明する。
従来のオーディオ信号増幅装置としては、扉開閉装置を備え、扉を開くと当該扉の後方に配設されたオーディオ信号の増幅度を変化させるボリュームや操作キーを操作する操作部が露出し、操作部の操作が可能となり、当該ドアを閉鎖すると、操作部に外部からの塵埃や水滴が付着することを防止する構成を有するものが知られている（例えば、特許文献１参照。）。
【０００３】
図３（ａ）は、従来のオーディオ信号増幅装置の一例を示す斜視図である。
オーディオ信号増幅装置１００は、筐体２、前面パネル３、ドア部４、増幅部７、操作部８、図示しない入力部及び出力部を備える。
【０００４】
筐体２は、箱形を成し、内部に増幅部７を備える。前面パネル３は、薄い直方体を成し筐体２の前面に固定される。前面パネル３は、前後に貫通する孔３０１を備える。操作部８は、筐体２に固定され、孔３０１の後方に配置される。ドア部４は、薄い直方体を成し、前面パネル３の裏面に固定された後述するフランジにより軸支され、回動することによって、孔３０１を開閉する。
【０００５】
操作部８は、ドア部４を回動させ、孔３０１を開口することにより露出する。操作部８は、複数の操作ボタン８０１及びボリュウム部８０２を備える。
【０００６】
オーディオ信号増幅装置１００は、図示しない導電ワイヤーにより再生装置及びスピーカと接続されている。
【０００７】
再生装置は、光ディスクに記録されているオーディオ信号を再生する。オーディオ信号増幅装置１００の入力部は、再生装置から出力されたオーディオ信号を入力し増幅部７へ出力する。
【０００８】
ボリュウム部８０１は、増幅部７によるオーディオ信号の信号レベルの増幅度を増減させる。増幅部７は、ボリュウム部８０１の指示に応じてオーディオ信号を増幅し、出力部へ出力する。出力部は、増幅部７から出力されたオーディオ信号をスピーカへ出力する。
【０００９】
以上により、オーディオ信号増幅装置１００は、再生装置から出力されたオーディオ信号を増幅し、スピーカへ出力する。
【００１０】
図３（ｂ）は、前面パネル３とドア部４の構成を示す後方斜視図である。尚、図３（ｂ）に示す前面パネル３及びドア部４は、矢印Ｆ方向を前面とする。
ドア部４は、合成樹脂から成り、左右の両端にそれぞれ後方へ突出するヒンジ４０１ａ及びヒンジ４０１ｂを備える。ヒンジ４０１ａ及びヒンジ４０１ｂは、それぞれ先端に断面がＣ字型を成す凹部４０２を備える。
【００１１】
前面パネル３は、押し出し成型により形成されたアルミ材から成る。孔３０１は、プレス加工により形成される。フランジ５００ａ及び５００ｂは、金型成型により形成された合成樹脂から成り、それぞれ左右対称の形状で断面がＬ字型を成し、前面部５０１と側面部５０２を備える。前面部５０１は、接着剤により前面パネル３の裏面に固定される。
【００１２】
側面部５０２は、ボス５０５とシャフト５０３を備える。ボス５０５は、円筒形を成し孔３０１の内側方向へ水平に突出する。シャフト５０３は、ボス５０５の先端の略中央から更に孔３０１の内側方向へ突出する。
【００１３】
ドア部４は、フランジ５００ａ及び５００ｂのシャフト５０３にそれぞれ凹部４０２を押し込むことにより、凹部４０２の先端が外側へ弾性変形して、シャフト５０３を挿入する。これにより、ドア部４は、シャフト５０３に軸支され、当該シャフト５０３を軸として自在に回動する。ドア部４を回動することより、孔３０１を開閉する。
【００１４】
【特許文献１】
特開平５−２９５９４５号公報（第２頁、第３図）
【００１５】
【発明が解決しようとする課題】
図４は、オーディオ信号増幅装置１００の前面パネル３とドア部４の上面を示す断面図である。
フランジ５００ａ及び５００ｂは、それぞれ前面パネル３の裏面へ接着材によって固定するため、固定する位置がずれることがある。このため、図４に示すように、孔３０１の前後方向の中央軸を軸Ｇとすると、軸Ｇからフランジ５００ａまでの距離Ｃと軸Ｇからフランジ５００ｂまでの距離Ｄが異なると、ドア部４の左側面から孔３０１の左側の側壁までの隙間Ａとドア部４の右側面から孔３０１の右側の側壁までの隙間Ｂの大きさが異なり、オーディオ信号増幅装置１００の前面の美感が損なわれてしまう。
【００１６】
また、フランジ５００ａ及び５００ｂをそれぞれ軸Ｇから同じ距離に固定しても、ドア部４をフランジ５００ａ及び５００ｂによって軸支する際、フランジ５００ａ及び５００ｂのボス５０５の先端とヒンジ４０１ａ及びヒンジ４０１ｂとの間に隙間が生じる。この隙間により、ドア部４は、左右に移動してしまい、隙間Ａと隙間Ｂの大きさが異なってしまう。
【００１７】
ドア部４が左右に移動しないようにするために、ボス５０５の先端とヒンジ４０１ａ及びヒンジ４０１ｂとの間の隙間の大きさを小さく設定した場合、ドア部４を成型する際の外寸の誤差により、ドア部４の左右の長さが僅かでも大きくなってしまった場合や、フランジ５００ａの凸部５０４からフランジ５００ｂの凸部５０４までの距離がドア部４のヒンジ４０１ａの外側からヒンジ４０１ｂの外側までの距離より小さくなってしまった場合に、フランジ５００ａ及び５００ｂのシャフト５０３にドア部４を軸支することができなくなってしまう。
【００１８】
本発明は、前面パネルの裏面にシャフトを備えたフランジを固定し、当該シャフトによってドア部を軸支し当該ドア部を回動させることにより前面パネルに備える孔を開閉する電子機器において、簡単な構成で、ドア部と前面パネルの孔との左右の隙間を同一とすることができる電子機器を提供することを目的とする。
【００１９】
【課題を解決するための手段】
本願の請求項１記載の発明は、電子回路と、箱形を成し前記電子回路を内部に固定する筐体と、前記筐体の前面に固定され前後に貫通する孔を備える前面パネルと、前記孔の側壁に係合する凸部と水平方向に配置されたシャフトを備え前記前面パネルの裏面に固定される第１のフランジと、前記第１のフランジと左右対称な形状であり水平方向に配置されたシャフトを備え前記第１のフランジの凸部が係合する前記孔の側壁と対向する側壁に凸部を係合し前記前面パネルの裏面に固定される第２のフランジと、両端に前記シャフトを軸支するヒンジを備え前記シャフトを軸に回動することにより前記孔を開閉するドア部と、前記第１のフランジのシャフトに挿入され前記ヒンジを前記孔の中心方向へ押圧する第１の押圧手段と、前記第１の押圧手段と同一形状及び同じ素材から成り前記第２のフランジのシャフトに挿入され前記ヒンジを前記孔の中心方向へ押圧する第２の押圧手段を備えることを特徴とする。
【００２０】
【発明の実施の形態】
本発明の実施例を図面を参照して説明する。なお、従来技術で示した構成要素と同一の部分については同符号を用いる。
【００２１】
本発明の電子機器として、オーディオ信号増幅装置を例に挙げ説明する。
図１（ａ）は、本実施例のオーディオ信号増幅装置を示す斜視図である。
オーディオ信号増幅装置１は、筐体２、前面パネル３、ドア部４、増幅部７、操作部８、図示しない入力部及び出力部を備える。
【００２２】
筐体２は、箱形を成し、内部に増幅部７を備える。前面パネル３は、薄い直方体を成し筐体２の前面に固定される。前面パネル３は、前後に貫通する孔３０１を備える。操作部８は、筐体２に固定され、孔３０１の後方に配置される。ドア部４は、薄い直方体を成し、前面パネル３の裏面に固定された後述するフランジにより軸支され、回動することによって、孔３０１を開閉する。
【００２３】
操作部８は、ドア部４を回動させて孔３０１を開口することによって露出する。操作部８は、複数の操作ボタン８０１及びボリュウム部８０２を備える。
【００２４】
オーディオ信号増幅装置１は、図示しない導電ワイヤーにより再生装置及びスピーカと接続されている。
【００２５】
再生装置は、光ディスクに記録されているデータ、例えばオーディオデータを再生し、オーディオ信号を出力する。オーディオ信号増幅装置１００の入力部は、再生装置から出力されたオーディオ信号を入力し増幅部７へ送る。
【００２６】
ボリュウム部８０１は、操作により、増幅部７によるオーディオ信号の信号レベルの増幅度を増減させる。増幅部７は、ボリュウム部８０１の指示に応じてオーディオ信号を増幅し、出力部へ出力する。出力部は、増幅部７から出力されたオーディオ信号をスピーカへ出力する。
【００２７】
以上により、オーディオ信号増幅装置１は、再生装置から出力されたオーディオ信号を増幅し、スピーカへ出力する。
【００２８】
図１（ｂ）は、前面パネル３とドア部４の構成を示す後方斜視図である。尚、図１（ｂ）に示す前面パネル３及びドア部４は、矢印Ｆ方向を前面とする。
ドア部４は、合成樹脂から成り、左右の両端にそれぞれ後方へ突出するヒンジ４０１ａ及びヒンジ４０１ｂを備える。ヒンジ４０１ａ及びヒンジ４０１ｂは、それぞれ先端に断面がＣ字型を成す凹部４０２を備える。
【００２９】
前面パネル３は、押し出し成型により形成されたアルミ材から成る。孔３０１は、プレス加工により形成される。
【００３０】
フランジ５ａ及び５ｂは、断面がＬ字型を成し、前面部５０１と側面部５０２を備える。フランジ５ａ及び５ｂの前面部５０１の垂直方向の長さは、孔３０１の上下方向の長さより小さい。前面部５０１の側端には、上下方向に亘って前方へ突出する凸部５０４を備える。フランジ５ａ及び５ｂは、それぞれ凸部５０４を孔３０１の側壁に係合させ、接着剤により前面パネル３の裏面に固定する。
【００３１】
フランジ５ａ及び５ｂの側面部５０２は、それぞれ孔３０１の中央方向へ水平に突出するシャフト５０３を備える。シャフト５０３の外径は、ドア部４の凹部４０２の先端の内径より大きい。圧縮バネ６ａおよび圧縮バネ６ｂは、同一の形状及び同じ素材から成り、フランジ５ａ及び５ｂのシャフト５０３にそれぞれ挿入される。
【００３２】
ドア部４は、初めに、フランジ５ａ及び５ｂのシャフト５０３に挿入された圧縮バネ６ａ及び圧縮バネ６ｂをそれぞれ側面部５０２側へ押圧し、次に、ヒンジ４０１ａ及びヒンジ４０１ｂをそれぞれフランジ５ａ及び５ｂのシャフト５０３に押し込むことで、凹部４０２の先端が弾性変形し、シャフト５０３が凹部４０２に挿入することで、ヒンジ４０１ａ及びヒンジ４０１ｂがシャフト５０３に軸支される。また、ヒンジ４０１ａ及びヒンジ４０１ｂは、それぞれシャフト５０３に挿入された圧縮バネ６ａ及び圧縮バネ６ｂにより孔３０１の中央方向へ押圧される。ドア部４は、ヒンジ４０１ａ及びヒンジ４０１ｂがフランジ５ａ及び５ｂのシャフト５０３に軸支されることにより、当該シャフト５０３を軸として自在に回動し、前面パネル３の孔３０１を開閉する。
【００３３】
図２は、オーディオ信号増幅装置１の前面パネル３とドア部４の上面を示す断面図である。
フランジ５ａ及び５ｂは、それぞれ凸部５０４を孔３０１の側壁に係合させて前面パネル３の裏面に固定することから、図２に示すように、孔３０１の前後方向の中央を軸Ｇとすると、軸Ｇからフランジ５ａの側面部５０２までの距離Ｈは、軸Ｇからフランジ５ｂの側面部５０２までの距離Ｊと同一となる。また、圧縮バネ６ａ及び圧縮バネ６ｂが同一の形状及び同じ素材から成ることから、ドア部４のヒンジ４０１ａ及びヒンジ４０１ｂがフランジ５ａ及び５ｂのそれぞれの側面部５０２に当接した圧縮バネ６ａ及び圧縮バネ６ｂによって軸Ｇの方向へ押圧される押圧力が同一となる。
【００３４】
このことにより、ドア部４の左側面から孔３０１の左側の内壁までの隙間Ａとドア部４の右側面から孔３０１の右側の内壁までの隙間Ｂの大きさは同一となる。
【００３５】
この構成により、本実施例のオーディオ信号増幅装置１は、ドア部４の左右方向の長さにばらつきがあっても、圧縮バネ６ａ及び圧縮バネ６ｂにより、ドア部４のヒンジ４０１ａ及びヒンジ４０１ｂを孔３０１の中央方向へ押圧することによって、ドア部４の左側面と右側面の隙間を同一とすることができる。
【００３６】
【発明の効果】
本発明によれば、前面パネルの裏面にシャフトを備えたフランジを固定し、当該シャフトによってドア部を軸支し当該ドア部を回動させることにより前面パネルに備える孔を開閉する電子機器において、簡単な構成で、ドア部と前面パネルの孔との左右の隙間を同一とすることができる電子機器を提供することができる。
【図面の簡単な説明】
【図１】図１（ａ）は、本実施例のオーディオ信号増幅装置を示す斜視図であり、図１（ｂ）は、前面パネルとドア部の構成を示す後方斜視図である。
【図２】本実施例のオーディオ信号増幅装置の前面パネルとドア部の上面を示す断面図である。
【図３】図３（ａ）は、従来のオーディオ信号増幅装置の一例を示す斜視図であり、図３（ｂ）は、前面パネルとドア部の構成を示す後方斜視図である。
【図４】従来のオーディオ信号増幅装置の前面パネルとドア部の上面を示す断面図である。
【符号の説明】
１　オーディオ信号増幅装置、２　筐体、３　前面パネル、３０１　孔、
４　ドア部、４０１　ヒンジ、４０２　凹部、
５　フランジ、５０１　前面部、５０２　側面部、５０３　シャフト、
５０４　凸部、５０５　ボス、６　圧縮バネ、７　増幅部、８　操作部、
８０１　操作ボタン、８０２　ボリュウム部、
１００　オーディオ信号増幅装置、５００　フランジ
【図１】
2004119916.tif 000003
【図２】
2004119916.tif 000004
【図３】
2004119916.tif 000005
【図４】
2004119916.tif 000006